(57)【要約】【課題】出力信号の歪みを抑制し、出力電力の低下を回避する。【解決手段】実施形態のディジタル振幅変調装置の電力増幅部は、入力された音声信号に基づいてスイッチング制御され、入力されたキャリア信号の電力増幅を行う並列接続された複数の電力増幅器を備えている。合成部は、電力増幅部を構成する複数の電力増幅器の出力を合成して合成出力を行う。フィルタ部は、合成部の出力のフィルタリングを行ってＲＦ帯の振幅変調信号として信号出力端子から出力する。検出部は、音声信号及び振幅変調信号が入力され、音声信号と振幅変調信号との類似度を相互相関関数の値として求め、相互相関関数の値に基づいて、異常を検出する。【選択図】図１
2016129308.tif 000002
【特許請求の範囲】
【請求項１】
入力された音声信号に基づいてスイッチング制御され、入力されたキャリア信号の電力増幅を行う並列接続された複数の電力増幅器を備えた電力増幅部と、
前記電力増幅部を構成する前記複数の電力増幅器の出力を合成して合成出力を行う合成部と、
前記合成部の出力のフィルタリングを行ってＲＦ帯の振幅変調信号として信号出力端子から出力するフィルタ部と、
前記音声信号及び前記振幅変調信号が入力され、前記音声信号と前記振幅変調信号との類似度を相互相関関数の値として求め、前記相互相関関数の値に基づいて、異常を検出する検出部と、
を備えたディジタル振幅変調装置。
【請求項２】
前記検出部は、前記相互相関関数の値を前記電力増幅部の異常検出パラメータに対応づけて記憶するテーブル記憶部を備えた、
請求項１記載のディジタル振幅変調装置。
【請求項３】
前記テーブル記憶部は、前記異常検出パラメータとして、歪率、ＳＮＲあるいは出力電力の少なくともいずれか一つを用いた、
請求項２記載のディジタル振幅変調装置。
【請求項４】
前記音声信号を前記電力増幅部、前記合成部及び前記フィルタ部の処理遅延時間に相当する時間だけ遅延して遅延音声信号を出力するディレイ部と、
前記遅延音声信号と前記振幅変調信号との類似度を相互相関関数の値として求め、前記テーブル記憶部を参照する比較処理部と、
を備えた請求項２又は請求項３記載のディジタル振幅変調装置。
【請求項５】
複数の前記電力増幅部と、
各前記電力増幅部に対応する複数の前記合成部と、
前記複数の合成部の後段に設けられ、前記検出部の異常検出結果に基づいて、いずれかの前記合成部の出力を排他的に前記フィルタ部に出力する切替部と、
を備えた請求項１乃至請求項４のいずれか一項に記載のディジタル振幅変調装置。
【請求項６】
入力された音声信号に基づいてスイッチング制御され、入力されたキャリア信号の電力増幅を行う並列接続された複数の電力増幅器を備えた電力増幅部と、対応するいずれか一の前記電力増幅部を構成する前記複数の電力増幅器の出力を合成して合成出力を行う合成部と、前記合成部の出力のフィルタリングを行ってＲＦ帯の振幅変調信号として信号出力端子から出力するフィルタ部と、を備えたディジタル振幅変調装置において実行される方法であって、
前記音声信号及び前記振幅変調信号が入力され、前記音声信号と前記振幅変調信号との類似度を相互相関関数の値として求める過程と、
前記相互相関関数の値に基づいて、異常を検出する過程と、
を備えた方法。
【発明の詳細な説明】
【技術分野】
【０００１】
本発明の実施形態は、ディジタル振幅変調装置及び方法に関する。
【背景技術】
【０００２】
従来、中波放送用の送信装置においては、ディジタル振幅変調装置が用いられている。
ディジタル振幅変調装置は、並列に接続された複数の電力増幅器を備えている。
そして、外部から供給される音声信号等の被変調信号の電圧振幅レベルに合わせて複数の電力増幅器をオン／オフ制御することで、同時にオン状態とされる電力増幅器の台数を変更しながら、キャリア信号を増幅する。
そして、同時にオン状態とされている電力増幅器の出力信号を合成することでＡＭ（Ａｍｐｌｉｔｕｄｅ  Ｍｏｄｕｌａｔｉｏｎ）波を生成し、生成したＡＭ波を所定の放送サービスエリアへ送出する。
【先行技術文献】
【特許文献】
【０００３】
【特許文献１】特開２００７−０６７６４９号公報
【発明の概要】
【発明が解決しようとする課題】
【０００４】
ところで、この種のディジタル振幅変調装置においては、複数の電力増幅器の少なくとも一部が壊れたり、合成部が短絡したり、解放したり等の何らかの障害が発生すると、ＡＭ波の信号品質が劣化する可能性がある。
【０００５】
特に電力増幅器の一部が壊れた場合には、いわゆるビット欠損が発生し、生成され、出力されるＡＭ波において歪みが増加したり、出力電力が低下する等の不具合が生じることとなっていた。
そこで、本発明は、出力信号の歪みを抑制し、出力電力の低下を回避することが可能なディジタル振幅変調装置及び方法を提供することにある。
【課題を解決するための手段】
【０００６】
実施形態のディジタル振幅変調装置の電力増幅部は、入力された音声信号に基づいてスイッチング制御され、入力されたキャリア信号の電力増幅を行う並列接続された複数の電力増幅器を備えている。合成部は、電力増幅部を構成する複数の電力増幅器の出力を合成して合成出力を行う。フィルタ部は、合成部の出力のフィルタリングを行ってＲＦ帯の振幅変調信号として信号出力端子から出力する。
これらと並行して、検出部は、音声信号及び振幅変調信号が入力され、音声信号と振幅変調信号との類似度を相互相関関数の値として求め、相互相関関数の値に基づいて、異常を検出する。
【図面の簡単な説明】
【０００７】
【図１】図１は、第１実施形態のディジタル振幅変調装置の概要構成ブロック図である。
【図２】図２は、第１実施形態の切替部の概要構成ブロック図である。
【図３】図３は、第２実施形態のディジタル振幅変調装置の概要構成ブロック図である。
【図４】図４は、第２実施形態の切替部の概要構成ブロック図である。
【図５】図５は、第２実施形態のダミー／整合部の概要構成ブロック図である。
【発明を実施するための形態】
【０００８】
次に実施形態について図面を参照して説明する。
［１］第１実施形態
図１は、第１実施形態のディジタル振幅変調装置の概要構成ブロック図である。
ディジタル振幅変調装置１０は、キャリア（搬送波）信号ＳＣが外部より入力されるキャリア入力端子１１と、音声信号ＳＡが外部より入力される音声信号入力端子１２と、キャリア信号及び音声信号が入力され、振幅変調制御を行う第１制御部１３Ａと、キャリア信号及び音声信号が入力され、振幅変調制御を行う第２制御部１３Ｂと、第１制御部１３Ａの制御下にあり、ｎ台の電力増幅器（ＰＡ：Ｐｏｗｅｒ  Ａｍｐｌｉｆｉｅｒ）ＰＡ１１〜ＰＡ１ｎを備えた第１電力増幅部１４Ａと、第２制御部１３Ｂの制御下にあり、ｎ台の電力増幅器ＰＡ２１〜ＰＡ２ｎを備えた第２電力増幅部１４Ｂと、を備えている。
【０００９】
また、ディジタル振幅変調装置１０は、第１電力増幅部１４Ａを構成しているｎ台の電力増幅器ＰＡ１１〜ＰＡ１ｎの出力を合成して第１合成信号として出力する第１合成部１５Ａと、第２電力増幅部１４Ｂを構成しているｎ台の電力増幅器ＰＡ２１〜ＰＡ２ｎの出力を合成して第２合成信号として出力する第２合成部１５Ｂと、第１制御部１３Ａ、第２制御部１３Ｂ、第１電力増幅部１４Ａ及び第２電力増幅部１４Ｂの動作を監視し、切替制御信号ＳＷを出力するコントローラ１６と、を備えている。
【００１０】
上記構成において、電力増幅器ＰＡ１１〜ＰＡ１ｎ及び電力増幅器ＰＡ２１〜ＰＡ２ｎは、それぞれｄ級増幅器として構成されている。
【００１１】
さらに、ディジタル振幅変調装置１０は、切替制御信号ＳＷに基づいて、第１合成部１５Ａあるいは第２合成部１５Ｂのいずれか一方の出力をインピーダンス整合しつつ排他的に出力する切替部１７と、切替部１７から出力された第１合成信号あるいは第２合成信号が入力され、信号出力端子ＳｏｕｔへＲＦ帯の振幅変調信号（ＡＭ信号）ＳＡＭを出力するフィルタ部１８と、を備えている。
【００１２】
さらにまた、ディジタル振幅変調装置１０は、音声信号ＳＡと対応する振幅変調信号ＳＡＭとの類似度を相互相関関数を用いて算出し、異常検出信号ＳＥＤを出力する検出部１９を備えている。
【００１３】
ここで、検出部１９は、音声信号ＳＡが振幅変調信号ＳＡＭとして出力されるまでの信号遅延量に相当する遅延時間（ディレイ時間）を与えて遅延音声信号ＤＳＡとして出力するディレイ部３１と、相互相関関数の値（理論的には、−１〜＋１）と異常検出パラメータの値との対応関係をテーブルとして記憶するテーブル記憶部３２と、遅延音声信号ＤＳＡと振幅変調信号ＳＡＭとの類似度を相互相関関数を用いて算出し、テーブル記憶部３２を参照して求めた異常検出パラメータの値を所定の閾値と比較して異常検出信号ＳＥＤをコントローラ１６に出力する比較処理部３３と、を備えている。
【００１４】
上述した異常検出パラメータの値としては、例えば、ＳＮＲ（signal-to-noise  ratio）、歪率、出力電力（パワー）等が挙げられる。したがって、例えば、テーブル記憶部３２には、相互相関関数の値と、歪率の値とが、入力音声信号ＳＡとして正弦波を用い、様々な条件（異常状態）を再現した場合の相互相関関数の値と、歪率の値とが、対応づけて格納されている。
【００１５】
図２は、第１実施形態の切替部の概要構成ブロック図である。
切替部１７は、第１合成信号が入力される第１入力端子２１Ａと、第１入力端子２１Ａから入力された第１合成信号のインピーダンス整合を行って出力する第１インピーダンス整合部２２Ａと、第２合成信号が入力される第２入力端子２１Ｂと、第２入力端子２１Ｂから入力された第２合成信号のインピーダンス整合を行って出力する第２インピーダンス整合部２２Ｂと、切替制御信号ＳＷに基づいてインピーダンス整合がなされた第１合成信号あるいは第２合成信号のいずれかを出力する出力切替器２３と、を備えている。
【００１６】
次に第１実施形態のディジタル振幅変調装置の動作について説明する。
以下の説明においては、初期状態において、第１制御部１３Ａ、第１電力増幅部１４Ａ及び第１合成部１５Ａが現用系統として稼働状態とされ、第２制御部１３Ｂ、第２電力増幅部１４Ｂ及び第２合成部１５Ｂが予備系統として非稼働状態とされているものとする。  ディジタル振幅変調装置１０のキャリア入力端子１１には、キャリア（搬送波）信号が外部より入力され、音声信号入力端子１２には、被変調信号としての音声信号が外部より入力される。
【００１７】
そして、キャリア入力端子１１から入力されたキャリア信号ＳＣ及び音声信号入力端子１２から入力された音声信号ＳＡは、それぞれ、第１制御部１３Ａに入力される。
【００１８】
これにより、第１制御部１３Ａは、入力された音声信号ＳＡに基づいて第１電力増幅部１４Ａを構成するｎ台の電力増幅器ＰＡ１１〜ＰＡ１ｎのオン／オフ制御を行う。電力増幅器ＰＡ１１〜ＰＡ１ｎのうちオン状態とされた電力増幅器は、入力されたキャリア信号ＳＣを予め設定されたレベルにそれぞれ増幅して出力する。
【００１９】
また、電力増幅器ＰＡ１１〜ＰＡ１ｎのうちオフ状態とされた電力増幅器は、出力停止状態となる。
【００２０】
この結果、第１合成部１５Ａは、第１電力増幅部１４Ａを構成している電力増幅器ＰＡ１１〜ＰＡ１ｎのうちオン状態とされた電力増幅器の出力を合成して、切替部１７の第１入力端子２１Ａに出力する。
【００２１】
コントローラ１６は、第１制御部１３Ａ、第１電力増幅部１４Ａ及び第１合成部１５Ａの動作を監視するとともに、第１合成部１５Ａ側に切り替える切替制御信号ＳＷを切替部１７に出力する。
この結果、切替部１７は、切替制御信号ＳＷに基づいて、第１電力増幅部１４Ａの出力が、第１合成部１５Ａを介して第１合成信号として出力端子２４からフィルタ部１８に出力される。
【００２２】
フィルタ部１８は、切替部１７の出力端子２４から出力された第１合成信号をＲＦ（Radio  Frequency）帯の振幅変調信号（ＡＭ信号）ＳＡＭとして信号出力端子Ｔｏｕｔから出力する。
信号出力端子Ｔｏｕｔより後段には、整合回路、フィルタ、リジェクタ及びトラップ回路等を含むインピーダンス整合回路を介して送信アンテナが接続されており、中波放送用の電波が放射されることとなる。
【００２３】
上記動作と並行して、検出部１９のディレイ部３１には、音声信号ＳＡが入力される。また、比較処理部３３には、振幅変調信号ＳＡＭが入力される。
これにより、ディレイ部３１は、音声信号ＳＡが振幅変調信号ＳＡＭとして出力されるまでの信号遅延量に相当する遅延時間（ディレイ時間）を与えて遅延音声信号ＤＳＡとして比較処理部３３に出力する。
【００２４】
そして、比較処理部３３は、遅延音声信号ＤＳＡと振幅変調信号ＳＡＭとの類似度を相互相関関数を用いて算出する。
このとき、テーブル記憶部３２には、上述したように、比較処理部３３が算出した相互相関関数の値と異常検出パラメータの値との対応関係がテーブルとして記憶されているので、算出した相互相関関数の値からテーブル記憶部３２を参照して求めた異常検出パラメータの値を所定の当該異常検出パラメータの閾値（例えば、異常検出パラメータが歪率である場合には、歪率閾値：例えば、１ｋＨｚの正弦波の歪率が５％のときの相互相関関数の値に相当）と比較して、異常検出パラメータの値が当該異常検出パラメータの閾値を超えている場合には、異常が検出されたとして対応する処理を行う。
【００２５】
異常検出時の処理としては、異常が発生している旨をオペレータに通知するための異常検出信号ＳＥＤをコントローラ１６に出力したり、現用系統として稼働状態とされている第１制御部１３Ａ、第１電力増幅部１４Ａ及び第１合成部１５Ａを非稼働状態とし、予備系統である第２制御部１３Ｂ、第２電力増幅部１４Ｂ及び第２合成部１５Ｂを稼働状態とするための切替をコントーラ１６に行わせるための異常検出信号ＳＥＤをコントローラ１６に出力する。
【００２６】
例えば、現用系統（アクティブ系統）を予備系統（インアクティブ系統）に切り替えるための切替をコントーラ１６に行わせるための異常検出信号ＳＥＤが出力された場合には、コントローラ１６は、まず、予備系統である第２制御部１３Ｂ、第２電力増幅部１４Ｂ及び第２合成部１５Ｂを稼働状態として、第２号合成部１５Ｂから第２電力増幅部１４Ｂを構成している電力増幅器ＰＡ２１〜ＰＡ２ｎのうちオン状態とされた電力増幅器の出力を合成して出力可能な状態とする。
【００２７】
そして、コントローラ１６は、第２制御部１３Ｂ、第２電力増幅部１４Ｂ及び第２合成部１５Ｂの動作を監視し、動作が正常になった状態で、切替部１７に切替信号ＳＷを出力して、第１合成部１５Ａ側から第２合成部１５Ｂ側に切り替える。なお、非常状態においては、直ちに第２合成部１５Ｂ側に切り替えるようにしてもよい。
【００２８】
これにより、第２制御部１３Ｂは、入力された音声信号ＳＡに基づいて第２電力増幅部１４Ｂを構成するｎ台の電力増幅器ＰＡ２１〜ＰＡ２ｎのオン／オフ制御を行う。電力増幅器ＰＡ２１〜ＰＡ２ｎのうちオン状態とされた電力増幅器は、入力されたキャリア信号ＳＣを予め設定されたレベルにそれぞれ増幅して出力する。
また、電力増幅器ＰＡ２１〜ＰＡ２ｎのうちオフ状態とされた電力増幅器は、出力停止状態となる。
【００２９】
そして、第２合成部１５Ｂは、第２電力増幅部１４Ｂを構成している電力増幅器ＰＡ２１〜ＰＡ２ｎのうちオン状態とされた電力増幅器の出力を合成して、切替部１７の第２入力端子２１Ｂに出力する。
この結果、切替部１７は、第２合成部１５Ｂの出力した第２合成信号を出力端子２４を介してフィルタ部１８に出力する。
【００３０】
そして、フィルタ部１８は、切替部１７の出力端子２４から出力された第１合成信号あるいは第２合成信号をＲＦ（Radio  Frequency）帯の振幅変調信号ＳＡＭとして信号出力端子Ｔｏｕｔから出力する。
【００３１】
以上の説明のように、本実施形態によれば、入力された音声信号ＳＡと、出力される振幅変調信号ＳＡＭのタイミングを合わせて相互相関関数の値を求め、類似度が低い、すなわち、入力された音声信号ＳＡと、出力される振幅変調信号ＳＡＭとの相関が低い場合には、現用の（アクティブな）回路系統（制御部、電力増幅部及び合成部）のいずれかで異常が検出されたと判断して、現用系統を予備系統側に迅速に切り替えることが可能となり、装置構成を複雑化、大規模化すること無く歪率を低く維持し、出力電力の低下を回避することが可能となる。
【００３２】
より詳細に説明すると、例えば、第１制御部１３Ａあるいは第２制御部１３Ｂを構成する図示しないＡＤコンバータにおいて、ビット欠損が発生した場合を想定する。
この場合に、入力された音声信号ＳＡをパルス化し、パルスを用いて電力増幅器ＰＡ１１〜１ｎ、２１〜２ｎの制御を行うが、例えば、ＡＤコンバータのＬＳＢ側が欠損した場合と、ＭＳＢ側が欠損した場合で、歪の劣化や出力電力の低下に対する影響が異なる。従来のディジタル振幅変調装置では、メータリレーなどを用いて、出力電力の低下を監視して切替制御を実施していた。
【００３３】
このため、特にＬＳＢ側のビットの欠損はカバーできない可能性が高かったため、全てのビットを監視し、異常を検知する必要があったが、回路が非常に増大する可能性があった。さらにビット情報を電力増幅器に伝達するトランシーバＩＣなどが破損したり、その間のワイヤなどが断線したりした場合も同様であった。
【００３４】
これに対し、本実施形態によれば、相互相関関数を用いて異常検出を行っているため、原因によらず、異常を検出することができる。
さらに、入力信号である音声信号ＳＡと、第１制御部１３Ａあるいは第２制御部１３Ｂを構成する図示しないＡＤコンバータの出力信号をディジタル領域でアナログ変換した振幅変調信号ＳＡＭと、を比較することで、容易に正確な欠損を検知することが可能となる。
【００３５】
以上の説明においては、アクティブ回路系統（制御部、電力増幅部及び合成部）を２系統設ける構成としていたが、アクティブ回路系統を３系統以上設け、より冗長性を高めるように構成することも可能である。
【００３６】
［２］第２実施形態
図３は、第２実施形態のディジタル振幅変調装置の概要構成ブロック図である。
図３において、図１の第１実施形態と同様の部分には、同一の符号を付し、その詳細な説明を援用する。
【００３７】
第２実施形態のディジタル振幅変調装置１０Ｘが第１実施形態のディジタル振幅変調装置１０と異なる点は、切替部１０に代えて、二つのフィルタ部を内蔵した切替部４０を備えた点と、切替部４０の一方の出力をＲＦ（Ｒａｄｉｏ  Ｆｒｅｑｕｅｎｃｙ）帯の振幅変調信号（ＡＭ信号）として信号出力端子Ｓｏｕｔから出力して図示しない送信アンテナを介して中波放送用の電波を放射させ、切替部４０の他方の出力をダミー負荷に接続して保守あるいは修理時等に当該他方の系統の出力の特性評価等を行えるようにするダミー／外部整合部５０と、を備えた点である。
【００３８】
図４は、第２実施形態の切替部の概要構成ブロック図である。
切替部４０は、第１合成信号が入力される第１入力端子４１Ａと、第１入力端子４１Ａから入力された第１合成信号のフィルタリングを行ってＲＦ（Radio  Frequency）帯の第１振幅変調信号ＳＡＭ１として出力する第１フィルタ部４２Ａと、第２合成信号が入力される第２入力端子４１Ｂと、第２入力端子４１Ｂから入力された第２合成信号のフィルタリングを行ってＲＦ帯の第２振幅変調信号ＳＡＭ２として出力する第２フィルタ部４２Ｂと、切替制御信号ＳＷに基づいて第１振幅変調信号ＳＡＭ１あるいは第２振幅変調信号ＳＡＭ２のいずれか一方を第１出力端子４４Ａを介して出力し、いずれか他方を第２出力端子４４Ｂを介してを出力する出力切替器４３と、を備えている。
【００３９】
図５は、第２実施形態のダミー／整合部の概要構成ブロック図である。
ダミー／外部整合部５０は、切替部４０の第１出力端子４４Ａが接続され、第１振幅変調信号ＳＡＭ１あるいは第２振幅変調信号ＳＡＭ２のうち入力されたいずれか一方について、図示しない送信アンテナのインピーダンスに対してインピーダンス整合を行って外部出力端子５３を介して振幅変調信号ＳＡＭとして出力する外部整合部５２と、切替部４０の第２出力端子４４Ｂが接続され、第１振幅変調信号ＳＡＭ１あるいは第２振幅変調信号ＳＡＭ２のうち入力されたいずれか他方について、ダミー負荷（ダミー回路）５５に対してインピーダンス整合を行って、ダミー負荷５５に出力するダミー整合部５４と、を備えている。
【００４０】
ここで、信号出力端子Ｔｏｕｔと図示しない送信アンテナとの間には、リジェクタ回路やトラップ回路などが挿入されるので、外部整合部５２及びダミー整合部５４で整合するインピーダンスは、それらのリジェクタ回路やトラップ回路などを考慮した値に設定されているものとする。
【００４１】
次に第２実施形態のディジタル振幅変調装置の動作について説明する。
以下の説明においては、ディジタル振幅変調装置１０Ｘのキャリア入力端子１１に、キャリア（搬送波）信号が外部より入力され、音声信号入力端子１２に、被変調信号としての音声信号が外部より入力されてから、第１合成部１５Ａ及び第２合成部１５Ｂまでの動作は、第１実施形態と同様であるので、説明を省略する。
【００４２】
また、初期状態において、第１制御部１３Ａ、第１電力増幅部１４Ａ及び第１合成部１５Ａが現用系統として稼働状態とされ、第２制御部１３Ｂ、第２電力増幅部１４Ｂ及び第２合成部１５Ｂが予備系統として非稼働状態とされているものとする。
【００４３】
ここで、コントローラ１６は、第１制御部１３Ａ、第１電力増幅部１４Ａ及び第１合成部１５Ａの動作を監視し、第１合成部１５Ａの系統を予備系統とし、第２合成部１５Ｂの系統を現用系統に切り替えようとするのに先だって、第２合成部１５Ｂの系統のメンテナンスを行う場合を例として説明する。
【００４４】
まず、コントローラ１６は、予備系統である第２制御部１３Ｂ、第２電力増幅部１４Ｂ及び第２合成部１５Ｂを稼働状態とする。
このとき、切替部４０の第１入力端子４１Ａには、第１合成部１５Ａの出力である第１合成信号が入力されており、さらに第２入力端子には、第２合成部１５Ｂの出力である第２合成信号が入力されることとなる。
【００４５】
この結果、第１フィルタ部４２Ａは、第１入力端子４１Ａから入力された第１合成信号のフィルタリングを行ってＲＦ（Radio  Frequency）帯の第１振幅変調信号ＳＡＭ１として出力する。
一方、第２フィルタ部４２Ｂには、第２入力端子４１Ｂから第２合成信号が入力され、第２フィルタ部４２Ｂは、第２合成信号のフィルタリングを行ってＲＦ（Radio  Frequency）帯の第２振幅変調信号ＳＡＭ２として出力する。
【００４６】
このとき、出力切替器４３は、切替制御信号ＳＷに基づいて第１振幅変調信号ＳＡＭ１を第１出力端子４４Ａを介して出力し、第２振幅変調信号ＳＡＭ２を第２出力端子４４Ｂを介してを出力する。
【００４７】
この結果、ダミー／外部整合部５０の第１入力端子５１Ａには、第１振幅変調信号ＳＡＭ１が入力され、第２入力端子５１Ｂには、第２振幅変調信号ＳＡＭ２が入力される。
そして、外部整合部５２は、入力された第１振幅変調信号ＳＡＭ１について、図示しない送信アンテナのインピーダンスに対してインピーダンス整合を行って外部出力端子５３を介して振幅変調信号ＳＡＭとして出力する。
【００４８】
一方、ダミー整合部５４は、入力された第２振幅変調信号ＳＡＭ２について、ダミー負荷（ダミー回路）５５に対してインピーダンス整合を行って、ダミー負荷５５に出力する。
したがって、ダミー負荷５５に出力がなされている状態で第２合成信号の出力系統が正常に機能可能であるか否かを判別することが可能となり、冗長系として、待機状態にあった系統のメンテナンスを容易に行うことができる。
【００４９】
そして、コントローラ１６は、メンテナンスの結果、予備系統であった第２合成部１５Ｂの系統に問題が無かった場合には、切替制御信号ＳＷを出力し、出力切替器４３に第１振幅変調信号ＳＡＭ１を第２出力端子４４Ｂを介して出力させ、第２振幅変調信号ＳＡＭ２を第１出力端子４４Ａを介して出力させる。
【００５０】
この結果、予備系統であった第２合成部１５Ｂの系統は、現用系統となり、現用系統であった第１合成部１５Ａの系統は、予備系統となり、切替に要する時間を短縮化することができる。
【００５１】
以上の説明においては、アクティブ回路系統（制御部、電力増幅部及び合成部）を２系統設ける構成としていたが、アクティブ回路系統を３系統以上設け、より冗長性を高めるように構成することも可能である。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５３】
１０  ディジタル振幅変調装置
１１  キャリア入力端子
１２  音声信号入力端子
１３Ａ  第１制御部
１３Ｂ  第２制御部
１４Ａ  第１電力増幅部
１４Ｂ  第２電力増幅部
１５Ａ  第１合成部
１５Ｂ  第２合成部
１６  コントローラ
１７  切替部
１８  フィルタ部
１９  検出部
３１  ディレイ部
３２  テーブル記憶部
３３  比較処理部
４０  切替部
４２Ａ  第１フィルタ部
４２Ｂ  第２フィルタ部
４３  出力切替器
５０  ダミー／外部整合部
５２  外部整合部
５４  ダミー整合部
５５  ダミー負荷
ＰＡ１１〜ＰＡ１ｎ、ＰＡ２１〜ＰＡ２ｎ  電力増幅器
ＳＥＤ  異常検出信号
ＳＷ  切替制御信号
【図１】
2016129308.tif 000003
【図２】
2016129308.tif 000004
【図３】
2016129308.tif 000005
【図４】
2016129308.tif 000006
【図５】
2016129308.tif 000007